【手続補正書】
【提出日】平成17年11月25日(2005.11.25)
【手続補正１】
【補正対象書類名】明細書
【補正対象項目名】特許請求の範囲
【補正方法】変更
【補正の内容】
【特許請求の範囲】
【請求項１】  供給通路に供給される遊技球を，略水平方向に回転軸を有する払出スクリューの回転により，上記供給通路から送り通路に迎え入れると共に該送り通路上において前進させ払出通路まで導いて払い出す球払出装置において，
上記払出スクリューは，その外周に螺旋状に配設したねじ山部を有し，該ねじ山部を上記遊技球に当接させて回転させることにより該遊技球を上記送り通路上において前進させるよう構成されており，また，上記ねじ山部は，上記払出スクリューの軸方向における２箇所に第１ねじ山部及び第２ねじ山部として形成されていると共に，両者の螺旋方向は互いに逆になっており，
上記供給通路は，上記第１ねじ山部に上記遊技球を供給する第１供給通路及び上記第２ねじ山部に上記遊技球を供給する第２供給通路として２箇所に形成されており，
上記送り通路は，上記払出スクリューの軸方向に向けて形成されていると共に，上記第１供給通路に連通する第１送り通路及び上記第２供給通路に連通する第２送り通路として２箇所に形成されており，
上記払出通路は，上記第１送り通路と上記第２送り通路との合流部に形成されていると共に，上記払出スクリューに対して傾斜して形成された傾斜通路部を有しており，
上記払出スクリューの回転により，上記各供給通路から上記各送り通路に迎え入れられた上記各遊技球が，上記各送り通路から交互に１個ずつ上記払出通路に払い出されるよう構成されていることを特徴とする球払出装置。
【手続補正２】
【補正対象書類名】明細書
【補正対象項目名】００１１
【補正方法】変更
【補正の内容】
【００１１】
また，上記傾斜通路部は，上記払出スクリューの軸方向に向けて傾斜していることが好ましい。
この場合には，上記傾斜通路部が，例えば上記第２送り通路の方向に向けて傾斜しているときには，以下のように上記払出通路を流下する。
すなわち，上記第１送り通路を前進して上記払出通路に払い出された遊技球は，上記払出通路の上記第２送り通路側の側壁部における内側面に向けて流下する。そのため，上記遊技球が上記内側面に衝突して跳ね返った後，これを速やかに，かつスムーズに払出通路の下流側に案内することができる。これにより，遊技球が上記払出通路を通過するためにかかる時間を効果的に短縮することができ，上記球払出装置における遊技球の払出速度を効果的に向上させることができる。
【手続補正３】
【補正対象書類名】明細書
【補正対象項目名】００１３
【補正方法】変更
【補正の内容】
【００１３】
また，上記払出通路が上記第１送り通路と上記第２送り通路との合流部に対して開口する開口部の上記払出スクリューの軸方向における両側の端部には，上記払出通路の通路断面積を拡大させるよう傾斜した開口傾斜部がそれぞれ形成されていることが好ましい。
この場合には，上記各送り通路を前進する遊技球は，上記各開口傾斜部に沿って上記払出通路へと流下することができる。そのため，各送り通路から払出通路へと遊技球を導くことが容易になる。
【手続補正４】
【補正対象書類名】明細書
【補正対象項目名】００１５
【補正方法】変更
【補正の内容】
【００１５】
また，上記第１送り通路と上記第２送り通路との合流部に対して上記払出通路が開口する開口部に対向する位置には，上記各送り通路を前進した上記遊技球を上記払出通路へと導く払出導入部が設けられていることが好ましい。
この場合には，上記各送り通路を前進する遊技球は，上記払出導入部に沿って上記払出通路へと流下することができる。そのため，各送り通路から払出通路へと遊技球を導くことが容易になる。
【手続補正５】
【補正対象書類名】明細書
【補正対象項目名】００１７
【補正方法】変更
【補正の内容】
【００１７】
また，上記傾斜通路部は，上記払出スクリューの軸方向における両側の側壁部の内側面がそれぞれ外側に向けて凸状となる円弧状に形成されていることが好ましい。
この場合には，上記各送り通路から上記払出通路に払い出された遊技球が，この払出通路における上記内壁部の内側面に衝突した際の跳ね返りをより一層小さくすることができる。これにより，上記遊技球を上記払出通路に滑らかに流下させることができ，上記球払出装置における遊技球の払出速度を一層向上させることができる。
【手続補正６】
【補正対象書類名】明細書
【補正対象項目名】００１８
【補正方法】変更
【補正の内容】
【００１８】
また，上記払出通路の上記傾斜通路部には，上記遊技球の払出を検出する払出検出センサが設けてあると共に，該払出検出センサは，基台部と，該基台部より立設した発光部及び受光部を有しており，上記払出検出センサは，その上記基台部を上記傾斜通路部において上記払出スクリューに対して鈍角を形成する側の側壁部の外側面に当接させると共に，そのセンシングポイントが，上記各送り通路より上記払出通路に上記遊技球が流下するポイントである各リリースポイントから略同一の距離となるよう配設されていることが好ましい。
【手続補正７】
【補正対象書類名】明細書
【補正対象項目名】００２２
【補正方法】変更
【補正の内容】
【００２２】
また，上記センシングポイントは，上記開口部に上記各開口傾斜部が形成されている場合には，上記遊技球がそれぞれ上記払出通路の上記各開口傾斜部に沿って流下するときに当該各遊技球の球中心同士が描く軌跡の交点から下側に向けて上記遊技球の半径分の長さの範囲内にあることが好ましい。
【手続補正８】
【補正対象書類名】明細書
【補正対象項目名】００２４
【補正方法】変更
【補正の内容】
【００２４】
また，上記供給通路は，上記第１ねじ山部及び上記第２ねじ山部の上記払出スクリューの横断面方向における左右両側面からそれらを介して互いに対向する位置にそれぞれ左右一対に開口していると共に，上記第１ねじ山部の右側面に位置する第１供給通路，上記第２ねじ山部の右側面に位置する第２供給通路，上記第１ねじ山部の左側面に位置する第３供給通路及び上記第２ねじ山部の左側面に位置する第４供給通路として４箇所に形成されており，上記送り通路は，上記第１供給通路に連通する第１送り通路，上記第２供給通路に連通する第２送り通路，上記第３供給通路に連通する第３送り通路及び上記第４供給通路に連通する第４送り通路として４箇所に形成されており，上記払出通路は，上記第１送り通路と上記第２送り通路との合流部に形成された第１払出通路及び上記第３送り通路と上記第４送り通路との合流部に形成された第２払出通路として２箇所に形成されており，上記傾斜通路部は，上記第１払出通路に第１傾斜通路部として形成されていると共に上記第２払出通路に第２傾斜通路部として形成されており，両者は上記払出スクリューの軸方向における同じ方向に向けて傾斜していることが好ましい。
【手続補正９】
【補正対象書類名】明細書
【補正対象項目名】００３０
【補正方法】変更
【補正の内容】
【００３０】
また，上記払出検出センサは，上記第１傾斜通路部に第１払出検出センサとして設けてあると共に，上記第２傾斜通路部に第２払出検出センサとして設けてあり，上記第１払出検出センサと上記第２払出検出センサとは一体的に構成されており，かつ両者により，上記第１送り通路又は上記第２送り通路から上記第１払出通路への払出と，上記第３送り通路又は上記第４送り通路から上記第２払出通路への払出とを交互に検出できるよう構成されていることが好ましい。